(57)【要約】【課題】本発明は、エンジン不停止警告装置に係り、車両使用者によるエンジン停止操作に対してエンジン停止がなされないときに、エンジンが運転したまま車両使用者が降車するのを抑止させることにある。【解決手段】エンジン運転中に停止スイッチが所定時間継続して押下されることを条件としてエンジンを停止させるエンジン停止制御手段を搭載する車両のエンジン不停止警告装置は、エンジン運転中に停止スイッチが押下された後、上記所定時間の経過によりエンジンが停止する或いは停止しているか否かを判別するエンジン停止判別手段と、エンジン停止判別手段によりエンジン運転中に停止スイッチが押下された後、上記所定時間の経過によりエンジンが停止しない或いは停止していないと判別される場合に、車両使用者に対してエンジン不停止を警告するエンジン不停止警告手段と、  を備える。【選択図】図２
2014185528.tif 000002
【特許請求の範囲】
【請求項１】
エンジン運転中に停止スイッチが所定時間継続して押下されることを条件としてエンジンを停止させるエンジン停止制御手段を搭載する車両のエンジン不停止警告装置であって、
エンジン運転中に前記停止スイッチが押下された後、前記所定時間の経過によりエンジンが停止する或いは停止しているか否かを判別するエンジン停止判別手段と、
前記エンジン停止判別手段によりエンジン運転中に前記停止スイッチが押下された後、前記所定時間の経過によりエンジンが停止しない或いは停止していないと判別される場合に、車両使用者に対してエンジン不停止を警告するエンジン不停止警告手段と、
を備えることを特徴とするエンジン不停止警告装置。
【請求項２】
前記エンジン停止判別手段は、エンジン運転中に前記停止スイッチの押下が開始された後、該押下が前記所定時間継続するか否かに基づいて、前記所定時間の経過後にエンジンが停止するか否かを判別し、
前記エンジン不停止警告手段は、前記エンジン停止判別手段によりエンジン運転中に前記停止スイッチの押下が開始された後、該押下が前記所定時間継続しなかったことにより、前記所定時間の経過後にエンジンが停止しないと判別される場合に、車両使用者に対してエンジン不停止を警告することを特徴とする請求項１記載のエンジン不停止警告装置。
【請求項３】
前記エンジン停止判別手段は、エンジン運転中に前記停止スイッチの押下が開始された後、前記所定時間が経過した後に、エンジンが停止しているか否かを判別し、
前記エンジン不停止警告手段は、前記エンジン停止判別手段によりエンジン運転中に前記停止スイッチの押下が開始された後、前記所定時間が経過した後に、エンジンが停止していないと判別される場合に、車両使用者に対してエンジン不停止を警告することを特徴とする請求項１記載のエンジン不停止警告装置。
【請求項４】
前記エンジン停止判別手段は、エンジン運転中に前記停止スイッチの押下が開始された後、該押下が解除された際に、前記所定時間の経過によりエンジンが停止する或いは停止しているか否かを判別し、
前記エンジン不停止警告手段は、前記エンジン停止判別手段によりエンジン運転中に前記停止スイッチの押下が開始された後、該押下が解除された際に、前記所定時間の経過によりエンジンが停止しない或いは停止していないと判別される場合に、車両使用者に対してエンジン不停止を警告することを特徴とする請求項１記載のエンジン不停止警告装置。
【請求項５】
前記エンジン不停止警告手段は、車両使用者に対するエンジン不停止の警告を、前記エンジン停止判別手段によりエンジン運転中に前記停止スイッチの押下が開始された後、該押下が解除されたタイミングで行うことを特徴とする請求項１乃至４の何れか一項記載のエンジン不停止警告装置。
【請求項６】
前記エンジン不停止警告手段は、車両使用者に対するエンジン不停止の警告を、前記エンジン停止判別手段によりエンジン運転中に前記停止スイッチの押下が開始された後、エンジンが運転している状態で車両ドアが開けられたタイミングで行うことを特徴とする請求項１乃至５の何れか一項記載のエンジン不停止警告装置。
【発明の詳細な説明】
【技術分野】
【０００１】
本発明は、エンジン不停止警告装置に係り、特に、エンジン運転中に停止スイッチが所定時間継続して押下されることを条件として停止されるエンジンの不停止を車両使用者に対して警告するうえで好適なエンジン不停止警告装置に関する。
【背景技術】
【０００２】
従来、運転席のステアリング近傍に設けられたプッシュボタンの押下により車両のエンジンを始動し或いは停止するプッシュスタータ／停止システムが知られている（例えば、特許文献１参照）。このシステムは、エンジン停止中にプッシュボタンが車両使用者により押下操作されることによりエンジンを始動し、また、エンジン運転中にプッシュボタンが車両使用者により押下操作されることによりエンジンを停止する。
【先行技術文献】
【特許文献】
【０００３】
【特許文献１】特開２００７−２０３８８３号公報の請求項８など
【発明の概要】
【発明が解決しようとする課題】
【０００４】
ところで、上記したプッシュスタータ／停止システムとして、プッシュボタンが一旦押下されても、その押下が所定時間継続して行われないと（すなわち、プッシュボタンが長押しされないと）、エンジンが停止されないものが存在する。かかるシステムにおいては、車両使用者が意図してプッシュボタンを押下しても、その押下が所定時間継続しなかった場合は、エンジンが停止されず運転したままとなる。このため、車両使用者は、プッシュボタンを押下操作した後、エンジンが運転したままであるにもかかわらず降車して車両から離れてしまう事態が生じ得る。
【０００５】
本発明は、上述の点に鑑みてなされたものであり、車両使用者によるエンジン停止操作に対してエンジン停止がなされないときに、エンジンが運転したまま車両使用者が降車するのを抑止させることが可能なエンジン不停止警告装置を提供することを目的とする。
【課題を解決するための手段】
【０００６】
上記の目的は、エンジン運転中に停止スイッチが所定時間継続して押下されることを条件としてエンジンを停止させるエンジン停止制御手段を搭載する車両のエンジン不停止警告装置であって、エンジン運転中に前記停止スイッチが押下された後、前記所定時間の経過によりエンジンが停止する或いは停止しているか否かを判別するエンジン停止判別手段と、前記エンジン停止判別手段によりエンジン運転中に前記停止スイッチが押下された後、前記所定時間の経過によりエンジンが停止しない或いは停止していないと判別される場合に、車両使用者に対してエンジン不停止を警告するエンジン不停止警告手段と、を備えるエンジン不停止警告装置により達成される。
【発明の効果】
【０００７】
本発明によれば、車両使用者によるエンジン停止操作に対してエンジン停止がなされないときに、エンジンが運転したまま車両使用者が降車するのを抑止させることができる。
【図面の簡単な説明】
【０００８】
【図１】本発明の一実施例であるエンジン不停止警告装置を備える車載システムの構成図である。
【図２】本実施例のエンジン不停止警告装置において警告制御時に実行される制御ルーチンの一例のフローチャートである。
【図３】本実施例のエンジン不停止警告装置における警告制御時の動作遷移図である。
【発明を実施するための形態】
【０００９】
以下、図面を用いて、本発明に係るエンジン不停止警告装置の具体的な実施の形態について説明する。
【００１０】
図１は、本発明の一実施例であるエンジン不停止警告装置１０を備える車載システム１２の構成図を示す。本実施例の車載システム１２は、車両に搭載されており、車両の有するエンジンの運転／停止を制御するシステムである。尚、車載システム１２を搭載する車両は、少なくともエンジンを有する車両であればよく、エンジンとモータとを用いて駆動されるハイブリッド車両であってもよい。
【００１１】
車載システム１２は、マイクロコンピュータを主体に構成された電子制御ユニット（以下、ＥＣＵと称す。）１４を備えている。ＥＣＵ１４は、自車両の電源ポジションを制御することが可能な装置であって、例えば、電源用リレー（具体的には、ＡＣＣリレーやＩＧリレー１４）の駆動を制御すると共に、エンジン始動信号の生成を制御する。また、ＥＣＵ１４は、車両使用者（主に車両運転者）に向けてエンジン停止操作にかかわらずエンジンが停止しない或いは停止していないことを警告するエンジン不停止警告装置１０を構成する電子制御ユニットであって、かかる警告を制御する。
【００１２】
ＥＣＵ１４には、パワースイッチ１６が接続されている。パワースイッチ１６は、車両運転席のステアリング近傍に設けられており、車両使用者により押下操作されるプッシュ式のスイッチである。パワースイッチ１６は、自車両の電源ポジションをオフ状態とアクセサリオン状態とイグニションオン状態とスタータオン状態との間で切り替えるうえで押下されるスイッチである。パワースイッチ１６の押下操作の有無を示す信号は、ＥＣＵ１４に供給される。ＥＣＵ１４は、パワースイッチ１６から供給される信号に基づいて、そのパワースイッチ１６が押下操作されたか否かを判別する。
【００１３】
ＥＣＵ１４には、また、シフトポジションセンサ１８が接続されている。シフトポジションセンサ１８は、車両使用者により操作されるシフトノブが位置するシフト位置に応じた信号を出力するセンサである。シフトポジションセンサ１８の出力信号は、ＥＣＵ１４に供給される。ＥＣＵ１４は、シフトポジションセンサ１８から供給される信号に基づいて、車両のシフト位置を検出する。そして、ＥＣＵ１４は、パワースイッチ１６の押下操作有無の判定結果及びシフト位置の検出結果に基づいて自車両の電源ポジションを制御する。
【００１４】
ＥＣＵ１４には、また、エンジン２０が接続されている。ＥＣＵ１４は、電源ポジションに従ってエンジン２０などに対して指令信号を供給する機能を有し、電源ポジションをイグニションオン状態にすべき際は電源用リレーをオンし、また、電源ポジションをスタータオン状態にすべき際はエンジン２０に対してエンジン始動信号を供給する。また、ＥＣＵ１４は、電源ポジションをイグニションオフ状態にすべき際はエンジン２０に対してエンジン停止信号を供給する。
【００１５】
例えば、ＥＣＵ１４は、スタータがオフ状態にある状況でシフトポジションがパーキングレンジ又はニュートラルレンジにあるときにパワースイッチ１６が押下操作されたと判定すると、電源ポジションを、オフ状態、アクセサリオン状態、又はイグニションオン状態からスタータオン状態へ切り替える。尚、かかる電源ポジションの遷移は、自車両と正規の車両使用者が携帯する携帯キーとの間での照合が合致する場合にのみ行われるものとすればよく、また、車両使用者によりブレーキペダルがオン操作されている場合に限り行われるものとしてもよい。
【００１６】
電源ポジションがスタータオン状態へ切り替えられると、ＥＣＵ１４にてエンジン始動信号が生成されてエンジン２０に供給されることで、エンジン２０が始動される。エンジン２０の始動が完了すると、以後、電源ポジションがステータオフ状態となりイグニションオン状態となって、エンジン２０が燃料噴射や空気吸入により運転する。
【００１７】
また、ＥＣＵ１４は、エンジン運転中すなわちイグニションがオン状態にある状況でパワースイッチ１６が押下操作されたと判定すると、電源ポジションを、イグニションオン状態からイグニションオフ状態へ切り替える。尚、かかる電源ポジションの遷移は、自車両と正規の車両使用者が携帯する携帯キーとの間での照合が合致する場合にのみ行われるものとすればよく、また、車両停車中に限り行われるものとしてもよい。かかる切り替えが行われると、ＥＣＵ１４にてエンジン停止信号が生成されてエンジン２０に供給されることで、エンジン２０の運転が停止される。
【００１８】
ＥＣＵ１４には、また、車輪速センサ２２が接続されている。車輪速センサ２２は、自車両の車輪の速度に応じた信号を出力するセンサである。車輪速センサ２２の出力信号は、ＥＣＵ１４に供給される。ＥＣＵ１４は、車輪速センサ２２から供給される信号に基づいて車輪速度を検出すると共に、その検出結果に基づいて自車両が走行しているか或いは停車しているか否かを判別する。
【００１９】
ＥＣＵ１４には、また、ドアカーテシランプスイッチ２４が接続されている。ドアカーテシランプスイッチ２４は、自車両のドアが閉じているか或いは開いているかに応じた信号を出力する。ドアカーテシランプスイッチ２４の出力信号は、ＥＣＵ１４に供給される。ＥＣＵ１４は、ドアカーテシランプスイッチ２４から供給される信号に基づいて、車両ドアが閉じているか或いは開いているか否かを判別する。尚、ＥＣＵ１４は、少なくとも、運転席側の車両ドアが閉じているか或いは開いているか否かを判別することとすればよい。
【００２０】
ＥＣＵ１４には、更に、警告器２６が接続されている。警告器２６は、車内にいる車両使用者に向けて視覚や聴覚を刺激するための警告を行う機器であって、例えば、視覚を刺激するために点灯／点滅するメータ内のウォーニングランプや、聴覚を刺激するために吹鳴するブザーやスピーカなどである。ＥＣＵ１４は、後述の如く車両使用者に向けて警告を行うべき際に警告器２６に対して作動を指令する信号（作動指令信号）を供給する。警告器２６は、ＥＣＵ１４からの作動指令信号に従ってランプ点灯やブザー吹鳴などによって車両使用者に向けて警告を行う。
【００２１】
以下、図２及び図３を参照して、本実施例のエンジン不停止警告装置１０の動作について説明する。図２は、本実施例のエンジン不停止警告装置１０においてＥＣＵ１４が警告制御時に実行する制御ルーチンの一例のフローチャートを示す。また、図３は、本実施例のエンジン不停止警告装置１０における警告制御時の動作遷移図を示す。
【００２２】
本実施例において、ＥＣＵ１４は、エンジン２０の始動以後、電源ポジションをイグニションオン状態とする条件が成立するときは、エンジン２０を適切な燃料噴射や空気吸入により運転させる（ステップ１００）。かかるエンジン運転中にパワースイッチ１６が押下操作されたと判定する（ステップ１０２）と、次に、電源ポジションをイグニションオン状態からイグニションオフ状態へ切り替える条件すなわちエンジン２０を停止させる条件（エンジン停止条件）が成立するか否かを判別する（ステップ１０４）。
【００２３】
上記のエンジン停止条件は、パワースイッチ１６が所定時間Ｔ０継続して押下されることである。この所定時間Ｔ０は、車両使用者がパワースイッチ１６を瞬間的に押下しただけでは継続しない時間であり、車両使用者がパワースイッチ１６を意図して長押ししたと判断できる最小の継続時間であって、例えば０．５秒や１秒，２秒などに設定されている。ＥＣＵ１４は、上記ステップ１０４にて、一旦押下操作されたパワースイッチ１６が所定時間Ｔ０継続して押下されるか否かを判別する。
【００２４】
ＥＣＵ１４は、上記ステップ１０４においてパワースイッチ１６が所定時間Ｔ０継続して押下されることでエンジン停止条件が成立すると判別した場合は、エンジン２０を停止させるべきとして、電源ポジションをイグニションオン状態からイグニションオフ状態へ切り替えて、エンジン２０に対してエンジン停止信号を供給する（ステップ１０６）。かかる処理が行われると、エンジン２０の運転が停止される。
【００２５】
一方、ＥＣＵ１４は、上記ステップ１０４においてパワースイッチ１６の押下操作が所定時間Ｔ０継続せずエンジン停止条件が成立しないと判別した場合、すなわち、上記ステップ１０２にてパワースイッチ１６の押下操作が開始されたと判定した後、その押下操作が所定時間Ｔ０継続せず、その所定時間Ｔ０が経過する前に解除されたと判定した場合は、パワースイッチ１６の押下操作開始から所定時間Ｔ０が経過してもエンジン２０が停止せずに運転したままであると判断し、警告器２６に対して、車両使用者に向けてパワースイッチ１６の押下操作に対してエンジン２０が停止しないことを警告すべきとして作動指令信号を供給する（ステップ１０８）。
【００２６】
かかる処理が行われると、警告器２６は、ＥＣＵ１４からの作動指令信号に従って、ランプ点灯やブザー吹鳴などを行うことによって、車両使用者に向けてエンジン運転中に一旦行われたパワースイッチ１６の押下操作に対してエンジン２０が停止しない旨をアドバイス表示し或いはブザー吹鳴する警告を行う。この場合、車両使用者は、そのアドバイス表示を見ることにより或いはブザー吹鳴を聞くことにより、エンジン運転中に一旦パワースイッチ１６の押下操作を行ったにかかわらずその押下操作が所定時間Ｔ０継続しなかったことで、エンジン２０を停止させるうえで必要な条件が満たされずエンジン２０が停止しないことを知ることができる。
更に、ＥＣＵ１４は、その後、ドアカーテシランプスイッチ２４からの信号に基づいて、車両ドア（特に運転席側の車両ドア）が閉じた状態から開けられたか否かを判別する。その結果、車両ドアが開けられたと判定した場合（ステップ１１０）は、警告器２６に対して、車両使用者に向けてパワースイッチ１６の押下操作に対してエンジン２０が停止していないことを警告すべきとして作動指令信号を供給する（ステップ１１２）。
【００２７】
かかる処理が行われると、警告器２６は、ＥＣＵ１４からの作動指令信号に従って、ランプ点灯やブザー吹鳴などを行うことによって、車両使用者に向けてエンジン運転中に一旦行われたパワースイッチ１６の押下操作に対してエンジン２０が停止していない旨をアドバイス表示し或いはブザー吹鳴する警告を行う。この場合、車両使用者は、車両ドアを開けて降車する際にそのアドバイス表示を見ることにより或いはブザー吹鳴を聞くことにより、エンジン運転中に一旦パワースイッチ１６の押下操作を行ったにもかかわらずその押下操作が所定時間Ｔ０継続しなかったことで、エンジン２０を停止させるうえで必要な条件が満たされずエンジン２０が停止していないことを知ることができる。
【００２８】
このように、本実施例においては、エンジン運転中にそのエンジン２０を停止させるのに、車両使用者がパワースイッチ１６を所定時間Ｔ０継続して押下することが必要である車両において、エンジン運転中にパワースイッチ１６が一旦押下操作されたが、その後、その押下操作が所定時間Ｔ０継続しなかったことにより、所定時間Ｔ０の経過後にエンジン２０が停止せず運転したままであると判定される場合、警告器２６を用いて、車両使用者に向けてエンジン運転中に一旦行われたパワースイッチ１６の押下操作に対してエンジン２０が停止しない旨をアドバイス表示し或いはブザー吹鳴する警告を行うことができる。
【００２９】
かかる警告が行われると、車両使用者に、エンジン運転中に一旦行われたパワースイッチ１６の押下操作に対してエンジン２０が停止しない旨を知らせる機会が与えられることとなり、この点、エンジン運転中にそのエンジン２０を停止させるのに、車両使用者がパワースイッチ１６を所定時間Ｔ０継続して押下することが必要である車両において、車両使用者に対してそのパワースイッチ１６の押下操作についてエンジン停止のための長押しが促され、車両降車時にエンジン２０を停止させることが促される。
【００３０】
このため、エンジン運転中に一旦パワースイッチ１６の押下操作を行った車両運転者が、エンジン２０が運転したままであるにもかかわらず降車して自車両から離れるのは抑止される。従って、本実施例のエンジン不停止警告装置１０によれば、車両使用者によりエンジン運転中に一旦行われたパワースイッチ１６の押下操作に対してエンジン２０が停止しないときに、車両使用者に対してエンジン２０が停止しない旨の警告を行うことで、そのエンジン２０が運転したまま車両使用者が降車するのを抑止させることができる。
【００３１】
また、本実施例において、車両使用者に向けた警告器２６を用いた警告は、エンジン運転中にパワースイッチ１６が一旦押下操作された後、その押下操作が所定時間Ｔ０継続しなかった場合、及び、その後更に車両ドアが開けられた場合に、行われる。この点、本実施例によれば、上記した降車抑止の確実性を向上させることが可能である。
【００３２】
尚、本実施例においては、車両使用者に向けて警告器２６を用いた警告を行ううえで、その車両使用者がエンジン運転中にパワースイッチ１６を一旦でも押下操作することが必要であり、車両使用者がエンジン運転中にパワースイッチ１６を全く押下操作しないときは上記した警告の対象外である。かかるときは、車両使用者によるエンジン運転中の降車が意図的に行われたと判断できる。この点、本実施例によれば、警告器２６による不要な警告を排除することができるので、適切な警告を行うことができる。
【００３３】
尚、上記の実施例においては、パワースイッチ１６が特許請求の範囲に記載した「停止スイッチ」に相当している。また、ＥＣＵ１４がエンジン運転中にパワースイッチ１６が所定時間Ｔ０継続して押下されることを条件としてエンジン２０を停止させることにより特許請求の範囲に記載した「エンジン停止制御手段」が、ＥＣＵ１４がエンジン運転中にパワースイッチ１６が押下操作された後、その押下操作が所定時間Ｔ０継続するか否かに基づいて、所定時間Ｔ０の経過後にエンジン２０が停止するか否かを判別することにより特許請求の範囲に記載した「エンジン停止判別手段」が、ＥＣＵ１４がエンジン運転中にパワースイッチ１６の押下操作が開始された後、その押下操作が所定時間Ｔ０継続しなかったことにより、所定時間Ｔ０の経過後にエンジン２０が停止せず運転したままであると判定される場合、警告器２６を用いて、車両使用者に向けてエンジン運転中に一旦行われたパワースイッチ１６の押下操作に対してエンジン２０が停止しない旨をアドバイス表示し或いはブザー吹鳴する警告を行うことにより特許請求の範囲に記載した「エンジン不停止警告手段」が、それぞれ実現されている。
【００３４】
ところで、上記の実施例においては、車両使用者に向けた警告器２６を用いた警告を、（１）エンジン運転中にパワースイッチ１６の押下操作が開始された後、その押下操作が所定時間Ｔ０継続しなかった場合、及び、（２）その後更に車両ドアが開けられた場合に行うこととしているが、本発明はこれに限定されるものではなく、上記（１）及び（２）のうち少なくとも一方の場合に上記の警告を行うこととしてもよい。
【００３５】
また、上記の実施例においては、エンジン運転中にパワースイッチ１６の押下操作が開始された後、その押下操作が所定時間Ｔ０継続しなかった場合に、所定時間Ｔ０の経過後にエンジン２０が停止せず運転したままであるとして、車両使用者に向けた警告器２６を用いた警告を行うが、警告を行うタイミングとしては、エンジン運転中にパワースイッチ１６の押下操作が開始された後、上記の所定時間Ｔ０が経過した直後のタイミングであってもよいし、また、エンジン運転中にパワースイッチ１６の押下操作が開始された後、上記の所定時間Ｔ０が経過する前にその押下操作が解除された直後のタイミングであってもよい。
【００３６】
また、上記の実施例においては、車両使用者に向けた警告器２６を用いた警告を、エンジン運転中にパワースイッチ１６の押下操作が開始された後、エンジン２０が運転している状態で車両ドアが開けられた場合に、車両使用者に向けた警告器２６を用いた警告を行うが、その警告を行うタイミングとしては、その車両ドアが開けられた直後のタイミングであってもよい。
【００３７】
また、上記の実施例においては、ＥＣＵ１４が、エンジン運転中にパワースイッチ１６の押下操作が開始された後、その押下操作が所定時間Ｔ０継続するか否かを判別して、その判別結果に基づいて所定時間Ｔ０の経過後にエンジン２０が停止するか否かを判別する。しかし、本発明はこれに限定されるものではなく、かかる構成に代えて、エンジン２０側からＥＣＵ１４に対して、エンジン２０が実際に停止しているか或いは運転しているかを知らせる信号（エンジン運転信号やエンジン停止信号）を供給する構成を追加したうえで、ＥＣＵ１４が、エンジン運転中にパワースイッチ１６の押下操作が開始された後、所定時間Ｔ０が経過した後に、エンジン２０側からの信号に基づいてエンジン２０が停止しているか否かを判別することとしてもよい。
【００３８】
かかる変形例においては、エンジン運転中にパワースイッチ１６の押下操作が開始された後、所定時間Ｔ０が経過した後に、エンジン２０が停止していないと判別される場合に、車両使用者に向けて警告器２６を用いた警告が行われる。従って、かかる変形例においても、上記の実施例と同様の効果を得ることが可能である。
【００３９】
また、上記の実施例においては、エンジン運転中にパワースイッチ１６の押下操作が開始された後、その押下操作が所定時間Ｔ０継続するか否かを判別して、その判別結果に基づいて所定時間Ｔ０の経過後にエンジン２０が停止するか否かを判別するが、このパワースイッチ１６の押下操作が所定時間Ｔ０継続するか否かの判別は、エンジン運転中にパワースイッチ１６の押下操作が開始された後、パワースイッチ１６の押下操作が解除されるタイミングと、所定時間Ｔ０が経過するタイミングと、の前後を判定するものであればよく、エンジン運転中にパワースイッチ１６の押下操作が開始された後、パワースイッチ１６の押下操作が解除されるタイミングで所定時間Ｔ０が経過しているか否かを判別するものであればよい。
【００４０】
また、上記の構成に代えて、エンジン２０側からＥＣＵ１４に対して、エンジン２０が実際に停止しているか或いは運転しているかを知らせる信号（エンジン運転信号やエンジン停止信号）を供給する構成を追加したうえで、ＥＣＵ１４が、エンジン運転中にパワースイッチ１６の押下操作が開始された後、その押下操作が解除された際に、エンジン２０側から供給される信号に基づいてエンジン２０が停止しているか否かを判別することとしてもよい。
【００４１】
更に、上記の実施例においては、ＥＣＵ１４に、エンジン２０を直接に接続させてそのエンジン２０の運転／停止を制御させることとしているが、ＥＣＵ１４に、エンジン２０の運転／停止を制御するエンジンＥＣＵを接続させてそのエンジンＥＣＵに各種信号を供給させるものであってもよい。
【符号の説明】
【００４２】
１０  エンジン不停止警告装置
１４  ＥＣＵ
１６  パワースイッチ
２０  エンジン
２６  警告器
【図１】
2014185528.tif 000003
【図２】
2014185528.tif 000004
【図３】
2014185528.tif 000005